(57)【要約】【課題】  サイズや種類の異なった商品を吊り下げて陳列するための装置であって、異種の商品をそれぞれ前後に別々にれ並べた状態で吊支し、且つ、正面側から後方の商品の確認が容易に行えると共に陳列態様を様々に変化させることができる商品陳列用吊支装置を提供する。【解決手段】  商品収納ケースを陳列する前側水平吊支杆１と後側水平吊支杆２とを別々に形成して後側水平吊支杆２により吊支される商品収納ケースに対して前側水平吊支杆１に吊支される商品収納ケースを正面からみた場合に下方にずらした位置で陳列させるように構成していると共にこの前側水平吊支杆１を左右方向にも移動可能にして限られたスペース内で様々な欄列態様を可能にする。【選択図】    図２
2011136084.tif 000002
【特許請求の範囲】
【請求項１】
商品収納ケースを吊支する前側水平吊支杆と後側水平吊支杆とからなり、前側水平吊支杆は、上記後側水平吊支杆に吊支される商品収納ケースの下方に沿って配設される水平支持杆部の前端に上方に向かって上記後側水平吊支杆に吊支される商品収納ケースの上下端間の長さよりも短い長さの垂直支持杆部を屈曲形成してこの垂直支持杆部の上端部から前方に向かって突設していることを特徴とする商品陳列用吊支装置。
【請求項２】
前側水平吊支杆と後側水平吊支杆との基端に上方に向かって連結杆部を突設すると共に該連結杆部の上端から前方に向かって表示パネル取付用水平杆部を屈曲形成してあり、これらの表示パネル取付用水平杆部の前端に商品表示パネルの取付部材を設けていることを特徴とする商品陳列用吊支装置。
【請求項３】
前側水平吊支杆を垂直支持杆部を介して支持している水平支持杆部の後端と後側水平吊支杆の後端とに、店内の壁等に沿って上下方向に所定間隔毎に配設されている横桟部材にこれらの前後側水平吊支杆を取付けるための取付金具を固着していることを特徴とする商品陳列用吊支装置。
【発明の詳細な説明】
【技術分野】
【０００１】
本発明は、スーパーマーケットやコンビニエンスストア等の店内において、商品を吊り下げた状態にして陳列するための商品陳列用吊支装置に関するものである。
【背景技術】
【０００２】
従来から、商品を収納した偏平な袋やケース（以下、ケースとする）を複数個、前後方向に並べた状態にして陳列するための装置としては、例えば、特許文献１に記載されているように、金属製の棒状材からなる吊支杆が広く採用され、この吊支杆の基端部を支持部材に固定して該吊支杆を前方に向かって水平状に突設し、上記偏平なケースの上端開口部を密閉している封止部の中央部に穿設した孔をこの吊支杆に挿通、支持させた状態にして陳列し、購買する際には最前端側の商品を収納しているケースを吊支杆の先端から抜き取るように構成している。
【０００３】
また、サイズの異なる商品や種類の異なる商品をそれぞれ別々に吊り下げて陳列する装置も考案されてあり、このような装置としては、例えば、特許文献２に記載されているように、一定長さの金属製棒状材の一部によって後側吊支杆を形成し、この後側吊支杆の前端から金属製棒状材の長さ方向の中央部を下方に直角に屈折させて連結部を形成し、この連結部の下端から金属製棒状材の他部を前方に向かって直角似屈折させて前側吊支杆に形成し、これらの前後吊支杆を連結部を介して段状に形成した構造としている。そして、前側吊支杆と後側の吊支杆とにそれぞれサイズや種類の異なった商品を収納したケースの上端中央部をフックによって吊支するように構成している。
【先行技術文献】
【特許文献】
【０００４】
【特許文献１】特開平８−１３１３０２号公報
【特許文献２】実開平７−２８４６５号公報
【発明の概要】
【発明が解決しようとする課題】
【０００５】
しかしながら、前者の商品陳列用吊支装置によれば、サイズや種類の異なる商品を吊支した場合には、これらの商品のサイズや種類等を記載した表示パネルをこの吊支杆の適所に装着しても、この表示パネルに記載された商品を見分けることが困難であり、また、最前部の商品を収納したケースにこの商品とは異なる商品を収納したケースが隠蔽された状態となって、購買者にはこの吊支杆に一種類の商品しか吊支されていない印象を与えることになる。また、ケースの上端中央部に設けている孔を吊支杆に挿通、支持させている場合には、最前部に陳列されている商品と異なる商品を収納したケースを取り出す際には、このケースよりも前側に吊支されている商品収納ケースを吊支杆の前端から取り外さなければならないといった問題点がある。
【０００６】
このような問題点は、異なる商品を収納したケースをそれぞれ異なる吊支杆に吊支すれば解消できるが、そうすると、これらの吊支杆をケースの幅間隔を存して並設しなければならず、陳列スペースが制限されてスペースを広げることが困難な売場での陳列ができなくなるといった問題点が生じることになる。
【０００７】
一方、後者の商品吊支装置によれば、前側吊支杆と後側吊支杆とにそれぞれサイズや種類の異なった商品を収納したケースを吊支することができるので、購買者にとってはこれらの商品をそれぞれ表示した表示パネルによって商品の区別を明確に認識することができると共に、前後吊支杆に段差が形成されているから、前側吊支杆に吊支されている商品収納ケースに上端から後側吊支杆に吊支されている商品収納ケースの上端一部が上方に突出して正面からこの突出部分を直視することができるので、表示パネル以外に商品を直接識別することができ、また、売場を広げることなく商品を陳列することができるといった利点を有するが、前側吊支杆と後側吊支杆とが連結部を介して一連に形成されているため、商品収納ケースの上端中央部に、これらの吊支杆に挿通、支持させるための円形孔等の吊支用孔が設けられている場合には、前側吊支杆に商品収納ケースを吊支させることができても、後側吊支杆には連結部の存在によって商品収納ケースを吊支させることが困難となる。
【０００８】
従って、この商品陳列用吊支杆装置では、商品収納ケースの上端中央部に吊支杆に対して横方向から係止させることのできるフックを設けた構造の商品収納ケースの陳列に適しても、従来から広く採用されている吊支用孔によって吊支杆に商品収納ケースを吊支させる陳列形態には採用することが困難であるといった問題点が生じる。また、前側吊支杆と後側吊支杆との上下間隔、即ち、段差が連結部によって常に一定に設定されているため、後側吊支杆に吊支されている商品収納ケースの一部しか前方に露呈させることができなくて商品によっては確認が困難な事態が発生するといった問題点がある。
【０００９】
本発明はこのような問題点に鑑みてなされたもので、その目的とするところは、サイズや種類の異なった商品を収納しているケースを前後に別々にして吊支することができるのは勿論、上端中央部に吊支用孔を設けている商品収納ケースであっても上端中央部にフックを設けている商品収納ケースであっても簡単に吊支して陳列することができると共に、その商品収納ケースの取り出しも容易に行え、さらに、前後方向に並べている後側の商品収納ケース列に対する前後方向に並べている前側の商品収納ケース列の陳列位置を自由に変更することができて、正面側から後側の商品収納ケースを容易に認識可能にし得る商品陳列用吊支装置を提供するにある。
【課題を解決するための手段】
【００１０】
上記目的を達成するために、本発明の商品陳列用吊支装置は、請求項１に記載したように、商品収納ケースを吊支する前側水平吊支杆と後側水平吊支杆とからなり、前側水平吊支杆は、上記後側水平吊支杆に吊支される商品収納ケースの下方に沿って配設される水平支持杆部の前端に上方に向かって上記後側水平吊支杆に吊支される商品収納ケースの上下端間の長さよりも短い長さの垂直支持杆部を屈曲形成してこの垂直支持杆部の上端部から前方に向かって突設した構造としている。
【００１１】
このように構成した商品陳列用吊支装置において、請求項２に係る発明は、前側水平吊支杆と後側水平吊支杆との基端に上方に向かって連結杆部を突設すると共に該連結杆部の上端から前方に向かって表示パネル取付用水平杆部を屈曲形成してあり、これらの表示パネル取付用水平杆部の前端に商品表示パネルの取付部材を設けていることを特徴とする。  
【００１２】
また、請求項３に係る発明は、前側水平吊支杆を垂直支持杆部を介して支持している水平支持杆部の後端と後側水平吊支杆の後端とに、店内の壁等に沿って上下方向に所定間隔毎に配設されている横桟部材にこれらの前後側水平吊支杆を取付けるための取付金具を固着していることを特徴とする。
【発明の効果】
【００１３】
請求項１に係る発明によれば、商品収納ケースを吊支する前側水平吊支杆と後側水平吊支杆とは別々に形成されているので、前側水平吊支杆と後側水平吊支杆とにそれぞれサイズや種類の異なる商品収納ケースを吊り下げて陳列することができるのは勿論、これらの商品収納ケースを水平吊支杆に吊支する手段が該商品収納ケースの上端中央部に設けている吊支用孔であってもこれらの前後水平吊支杆の先端側から該吊支用孔をこれらの前後水平吊支杆に挿通することによって、それぞれ異種の商品を収納したケースを前後水平吊支杆に簡単に吊支して陳列することができると共に、所望の商品を収納したケースをこれらの水平吊支杆の先端から容易に取り出すことができる。
【００１４】
さらに、上記前側水平吊支杆は、後側水平吊支杆に吊支される商品収納ケースの下方に沿って配設される水平支持杆部の前端に上方に向かって屈曲形成した垂直支持杆部の上端部から前方に突設してあり、且つ、この垂直支持杆部の長さは商品収納ケースの上下端間の長さよりも短い長さに形成されているから、上記後側水平吊支杆の前方にこの前側水平吊支杆を配設した状態においては、後側水平吊支杆に吊支されている商品収納ケース列の少なくとも上部が前側水平吊支杆に吊支されている商品収納ケース列の上端後方から上方に突出した状態にすることができると共に、この前側水平吊支杆を支持している上記水平支持杆部の取付位置を上下左右に変更することによってこれらの前後水平吊支杆に吊支杆されている商品収納ケースの陳列態様を様々に変化させることができ、その上、正面から見た場合に、前側水平吊支杆に陳列している商品収納ケースによって隠蔽される後側水平吊支杆側の商品収納ケースの隠蔽部分を前側水平吊支杆の上記配置位置の変更によって少なくすることも可能となり、室内をあたかも模様替えした雰囲気にすることができると共に陳列効果を一層向上させることができる。
【００１５】
また、請求項２に係る発明によれば、上記前側水平吊支杆と後側水平吊支杆との基端に上方に向かって連結杆部を突設すると共に該連結杆部の上端から前方に向かって表示パネル取付用水平杆部を屈曲形成してあり、これらの表示パネル取付用水平杆部の前端に商品表示パネルの取付部材を設けているので、前後それぞれの水平吊支杆によって吊支されて陳列している商品収納ケース内の商品の値段や品名等を記載した表示パネルを取付部材に装着しておくことにより、商品の識別を確実に行うことができると共に、所望の商品を確認して購買することができる。
【００１６】
さらに、請求項３に係る発明によれば、前側水平吊支杆を垂直支持杆部を介して支持している水平支持杆部の後端と後側水平吊支杆の後端とに、店内の壁等に沿って上下方向に所定間隔毎に配設されている横桟部材にこれらの前後側水平吊支杆を取付けるための取付金具を固着しているので、商品を陳列するためのスペースを有効に利用しながら、そのスペース内で前側水平吊支杆と後側水平吊支杆との取付位置を自由に且つ簡単に変更することができ、所望の陳列態様にすることができる。
【図面の簡単な説明】
【００１７】
【図１】本発明商品陳列用吊支装置の斜視図。
【図２】使用状態を示す斜視図。
【図３】その側面図。
【図４】正面図。
【図５】後側水平吊支杆から商品収納ケースを取り出している状態の斜視図。
【図６】本発明商品陳列用吊支装置の別な実施例を示す斜視図。
【発明を実施するための形態】
【００１８】
本発明の具体的な実施の形態を図面について説明すると、図１において、商品陳列用吊支装置は、所定長さの金属線材からなる前側水平吊支杆１と後側水平吊支杆２とからなり、前側水平吊支杆１は、金属線材からなる一定長さの垂直支持杆部３の上端部から前方に向かった突設してあり、垂直支持杆部３はその下端を一定長さの水平支持杆部４の前端に一体に連設させている。
【００１９】
上記垂直支持杆部３と水平支持杆部４とは、金属線材をＬ字状に折り曲げることにより一方を水平支持杆部４に、他方をこの水平支持杆部４の前端から上方に向かって屈折してなる垂直支持杆部３に形成している。また、前側水平吊支杆１はその基端を上記垂直支持杆部３の上端部に溶接等によって一体に固着して垂直支持杆部３の上端部から前方に向かって突出させた構造としてもよく、或いは、この前側水平吊支杆１と上記垂直支持杆部３と水平支持杆部４との長さの和に等しい金属線材を折り曲げることによって垂直支持杆部３の上端から前方に向かって屈曲した構造としてもよい。なお、前側水平吊支杆１の前端部を斜め上方に屈折させて商品落下防止杆部1aに形成している。
【００２０】
さらに、前側水平吊支杆１の基端から上記垂直支持杆部３の上端を上方に延長する方向に短尺の連結杆部５を突設していると共に、この連結杆部５の上端から上方に延設している金属線材を前方に向かって前側水平吊支杆１に平行に屈折させることより前側水平吊支杆１の長さよりも僅かに短い長さの表示パネル取付用水平杆部６を形成してあり、この表示パネル取付用水平杆部６の前端を上方に屈折させて図３に示すように、商品表示パネル10の取付部材11を着脱自在に装着するための突部７に形成している。
【００２１】
商品表示パネル10の取付部材11は断面Ｕ字状の透明板からなり、その前後挟持板片11a、11b 間に商品表示パネル10を挿入してこれらの前後板片11a 、11b により挟持させるように形成していると共に後側板片11b の背面に上記表示パネル取付用水平杆部６の前端突部７に着脱自在に被嵌させる筒部11c （図３に示す）を一体に設けている。また、上記水平支持杆部４の後端部下面に、開口端が下向きの断面コ字状に形成した取付金具８を固着している。
【００２２】
一方、後側水平吊支杆２は前側水平吊支杆１の長さに略等しい長さを有していると共にその基端から上記連結杆部５の長さに略等しい長さを有する連結杆部5'を上方に向かって突設していると共にこの連結杆部5'の上端から前方に向かって後側水平吊支杆２に平行にこの後側水平吊支杆２の長さよりも僅かに短い長さの表示パネル取付用水平杆部6'を突設してあり、この表示パネル取付用水平杆部6'の前端を上方に屈折させて商品表示パネル10の取付部材11を着脱自在に装着するための突部7'に形成している。
【００２３】
さらに、この後側水平吊支杆２の後端部下面に、開口端が下向きの断面コ字状に形成した取付金具8'を固着している。なお、後側水平吊支杆２と連結杆部5'と表示パネル取付用水平杆部6'とはこれらの部材の長さの和に等しい長さを有する金属線を屈曲させることによって形成している。また、この後側水平吊支杆２の前端部を斜め上方に突設させて商品落下防止杆部2aに形成している。
【００２４】
以上のように構成した前後水平吊支杆１、２からなる商品陳列用吊支装置の使用態様を説明すると、これらの前後水平吊支杆１、２は、図２〜図４に示すように、店内の壁面等に沿って上下方向に所定間隔毎に配設、固定されている横桟部材９に取付金具８、8'をネジ等によって着脱自在に固着することにより、これらの前後側水平吊支杆１、２を前方に向かって突設した状態に取付ける。この際、まず、後側水平吊支杆２を横桟部材９の適所にその取付金具8'によって取付けたのち、この後側水平吊支杆２に吊支されている商品収納ケースA'の下端に沿って前側水平吊支杆１の水平支持杆部４を前後方向に向けて配設し、この水平支持杆部４の後端に固着している取付金具８を上記横桟部材９の下方の横桟部材９にネジ等によって着脱自在に固着することにより、水平支持杆部４の前端から上方に屈折している垂直支持杆部３を上記後側水平吊支杆２に吊支されている最前部の商品収納ケースA'の前面に沿わせると共に、この垂直支持杆部３の上端から前方に突設している前側水平吊支杆１に吊支された商品収納ケースA'を上記後側水平吊支杆２に吊支されている商品収納ケースA'の前方側に陳列する。
【００２５】
この際、前側水平吊支杆１の垂直支持杆部３の長さを後側水平吊支杆２に吊支される商品収納ケースA'の縦幅よりも短い長さに形成しているので、前側水平吊支杆１に吊支されている商品収納ケースＡの上端から後側水平吊支杆２に吊支されている商品収納ケースA'の少なくとも上端部を前方に向かって露出させた状態で陳列することができると共に、前側水平吊支杆１の取付金具８を取付ける横桟部材９を上記横桟部材９よりも下方の横桟部材に取付けることにより、前側水平吊支杆１に吊支して陳列する商品収納ケースＡを後側水平吊支杆２に吊支して陳列する商品収納ケースA'よりも更に下方に配設することができるので、後側水平吊支杆２に吊支されている商品収納ケースA'をさらに大きく前方に向かった露出させることができる。
【００２６】
また、後側水平吊支杆２を横桟部材９の所定位置に固定させた状態で、前側水平吊支杆１の取付金具８をこの取付金具８を取付ける横桟部材９に沿って左右方向に摺動させれば、この前側水平吊支杆１に吊支されている商品収納ケースＡが後側水平吊支杆２に吊支されている商品収納ケースA'に対して左右方向にずらせた位置で陳列させることができ、この前側の商品収納ケースＡによって隠蔽される後側の商品収納ケースA'の部分を一層少なくすることができるばかりでなく、商品収納ケースの陳列態様を様々に変化させることができて陳列効果を一層向上させることができる。
【００２７】
さらに、これらの前後水平吊支杆１、２にはその上方に平行に連結杆部５、5'を介して表示パネル取付用水平杆部６、6'を設けてあり、これらの表示パネル取付用水平杆部６、6'の前端に商品表示パネル10の取付部材11を設けているので、それぞれの水平吊支杆１、２によって吊支されて陳列している商品収納ケースＡ、A'内の商品の値段や品名等を記載した表示パネル10を取付部材11の前後挟持板片11a 、11b 間に挿入、挟持させておくことにより、商品の識別を確実に行うことができると共に、所望の商品を確認して購買することができる。
【００２８】
商品収納ケースＡ、A'内に収納される商品としては、マットや板状の商品、衣類、或いは、アルミ箔製品等、偏平状となる製品であれば収納することができ、また、この商品収納ケースＡ、A'はその上端開口部を密閉している封止部の幅方向の中央部に吊支用孔12を設けてこの吊支用孔12を前後水平吊支杆１、２の先端からこれらの前後水平吊支杆１、２に挿通、係止させることにより、複数個の商品収納ケースＡ、A'を前後方向に並列させた状態で吊支しているが、上記吊支用孔12に代えてフックを設けた商品収納ケースをこのフックによって前後水平吊支杆１、２に吊支してもよい。
【００２９】
上記吊支用孔12によって前後水平吊支杆１、２に吊り下げられている商品収納ケースＡ、A'をこれらの前後水平吊支杆１、２から取り外すには、それぞれの水平吊支杆１、２の最前部に吊支されている商品収納ケースＡ、A'を前後水平吊支杆１、２の前後水平吊支杆１、２の先端からその吊支用孔12を離脱させればよい。この際、後側水平吊支杆２においては、図５に示すように、後側水平吊支杆２に陳列している商品収納ケースA'列の側方から最前部の商品収納ケースA'を前方に移動させてその吊支用孔12を水平吊支杆２の先端から離脱させたのち、上方或いは側方に抜き取るようにして引き出せば、容易に取り出すことができる。なお、大きさの異なる商品収納ケースＡ、A'を陳列する場合、大きい商品収納ケースA'を後側水平吊支杆２に吊り下げて陳列するものであり、このようにして陳列することにより正面側からこの後側水平吊支杆２に陳列されている商品収納ケースA'を明確に確認することができる。
【００３０】
図６は本発明商品陳列用吊支装置の別な実施例を示すもので、上記実施例においては、前側水平吊支杆１に垂直支持杆部３を介して水平支持杆部４を後方に向かって一体に設け、この水平支持杆部４の後端部に取付金具８を固着しているが、この実施例においては、水平支持杆部４の後端から更に上方に向かって垂直支持杆部３よりも短い長さを有する後側垂直支持杆部3Aを突設し、この後側垂直支持杆部3Aの上端部に上記取付金具８を固着すると共に、上端部に前方に向かって上記前側水平吊支杆１を突設している垂直支持杆部３を前側垂直支持杆部として、この前側垂直支持杆部３と上記後側垂直支持杆部3Aとの対向部間を水平補強杆4Aによって一体に連結してなるものである。その他の構成については上記実施例と同じであるので、同一部分には同一符号を付して詳細な説明を省略する。
【００３１】
このように構成した商品陳列吊支装置によれば、店内の壁面等に沿って上下方向に所定間隔毎に設けられている上記複数本の横桟部材９において、後側水平吊支杆２の後端に固着している取付金具８よりも下方で、且つ、この後側水平吊支杆２により吊り下げられている商品収納ケースA'の背面側にある横桟部材９にその後側垂直支持杆部3Aの上端部に固着している取付金具８を取付けることができ、従って、この取付金具８が上記商品収納ケースA'に隠蔽された状態となって体裁よく陳列することができ、また、前側水平吊支杆１に掛かる商品収納ケースＡの荷重によって前側垂直支持杆部３が水平支持杆部４の前端を支点として前方に撓むのを、前後垂直支持杆部３、3A間を連結している水平補強杆4Aによって確実に阻止することができ、安定した陳列形態を保持することができる。
【符号の説明】
【００３２】
１  前側水平吊支杆
２  後側水平吊支杆
３  垂直支持杆部
４  水平支持杆部
５  連結杆部
６  表示パネル取付用水平杆部
８  取付金具
９  横桟部材
10  商品表示パネル
11  取付部材
Ａ  商品収納ケース
【図１】
2011136084.tif 000003
【図２】
2011136084.tif 000004
【図３】
2011136084.tif 000005
【図４】
2011136084.tif 000006
【図５】
2011136084.tif 000007
【図６】
2011136084.tif 000008